(57)【要約】【課題】構造の複雑化やコストアップを招かず、セキュリティレベルを保ったまま複数の情報端末の間で簡単な操作によりデータのコピー、ペーストができる情報端末システムを提供する。【解決手段】第１の情報端末装置は、第２の情報端末装置と無線で通信を行う無線通信手段を有し、第２の情報端末装置は、無線通信手段が発信した無線信号のレベルを測定する無線信号レベル測定手段と、無線信号レベル測定手段の測定結果に基づいて第１の情報端末装置を特定する端末特定手段と、を有することを特徴とする情報端末システム。【選択図】図１
2009230496.tif 000002
【特許請求の範囲】
【請求項１】
第１の表示画面と該第１の表示画面に表示された情報上の位置または範囲を指定する第１の入力手段とを備える第１の情報端末装置と、
第２の表示画面と該第２の表示画面に表示された情報上の位置または範囲を指定する第２の入力手段とを備える第２の情報端末装置と、
を有する情報端末システムにおいて、
前記第１の情報端末装置は、
前記第２の情報端末装置と無線で通信を行う無線通信手段を有し、
前記第２の情報端末装置は、
前記無線通信手段が発信した無線信号のレベルを測定する無線信号レベル測定手段と、
前記無線信号レベル測定手段の測定結果に基づいて前記第１の情報端末装置を特定する端末特定手段と、
を有することを特徴とする情報端末システム。
【請求項２】
前記第２の情報端末装置は、
前記第２の入力手段により指定された範囲のコピーデータを記憶する第２クリップバッファと、
前記第２クリップバッファに記憶された前記コピーデータを、前記端末特定手段が特定した前記第１の情報端末装置に送信する第２のデータ送信手段と、
を有し、
前記第１の情報端末装置は、
前記コピーデータを受信する第１のデータ受信手段と、
前記第１のデータ受信手段が受信した前記コピーデータを前記第１の入力手段により指定された位置にペーストする第１のペースト手段と、
を有することを特徴とする請求項１に記載の情報端末システム。
【請求項３】
前記第１の情報端末装置は、
前記第１の入力手段により指定された範囲のコピーデータを記憶する第１クリップバッファと、
送信要求信号を受信する送信要求信号受信手段と、
前記送信要求信号受信手段が前記送信要求信号を受信すると前記第１クリップバッファに記憶された前記コピーデータを送信する第１のデータ送信手段と、
を有し、
前記第２の情報端末装置は、
前記端末特定手段が特定した前記第１の情報端末装置に前記送信要求信号を送信する送信要求信号送信手段と、
前記第１のデータ送信手段が送信した前記コピーデータを受信する第２のデータ受信手段と、
前記第２のデータ受信手段が受信した前記コピーデータを前記第２の入力手段により指定された位置にペーストする第２のペースト手段と、
を有することを特徴とする請求項１に記載の情報端末システム。
【発明の詳細な説明】
【技術分野】
【０００１】
本発明は、情報端末システムに関する。
【背景技術】
【０００２】
従来、コンピュータや電子ブック、ＰＤＡ（Ｐｅｒｓｏｎａｌ  Ｄｉｇｉｔａｌ  Ａｓｓｉｓｔａｎｔ）などの複数の情報端末の間でデータをやりとりする場合は、データを記憶媒体にコピーして相手側の情報端末に渡したり、電子メールに添付して送信するなどの手段がとられていた。
【０００３】
このような方法は手順が多く時間がかかるため、直感的で簡単な操作で複数の情報端末の間でデータをやりとりする方法が望まれている。例えば、複数の通信端末の入力装置として使用する電子ペンを共通化し、電子ペンに記憶されているペン識別情報を予め通信端末で読み取り、同一のペン識別情報を読みとった通信端末間でカット操作を行った通信端末のデータをペーストする方法が提案されている（特許文献１参照）。
【０００４】
また、指示ペンを用いてタブレットの上に置かれたデータパンフレットの所定位置を指示した後、モニタ画面に触れると対応するデータを読み出してモニタ画面上に表示するデータ表示装置が提案されている（特許文献２参照）。
【特許文献１】特開平６−５２１０４号公報
【特許文献２】特開平１１−４５１４９号公報
【発明の開示】
【発明が解決しようとする課題】
【０００５】
しかしながら、特許文献１に開示されている方法では、データをやりとりする前に電子ペンに記憶されているペン識別情報を予め通信端末で読み取らせて通信端末をグループ化しておく必要があり、操作が面倒であった。また、電子ペンにペン識別情報を記憶するメモリや通信手段を内蔵させる必要があり、通信端末にはペン識別情報を読みとる読み取り手段が必要になるため構成が複雑になりコスト高になっていた。
【０００６】
特許文献２に開示されている方法は、データ表示装置に接続されたタブレットとモニタ間のデータ送受信に適用されるものであり、複数の情報端末間でデータをやりとりする場合に必要なデータを送受信する情報端末を特定する方法は開示されていない。
【０００７】
本発明は、上記課題に鑑みてなされたものであって、構造の複雑化やコストアップを招かず、セキュリティレベルを保ったまま複数の情報端末の間で簡単な操作によりデータのコピー、ペーストができる情報端末システムを提供することを目的とする。
【課題を解決するための手段】
【０００８】
本発明の目的は、下記構成により達成することができる。
１．
第１の表示画面と該第１の表示画面に表示された情報上の位置または範囲を指定する第１の入力手段とを備える第１の情報端末装置と、
第２の表示画面と該第２の表示画面に表示された情報上の位置または範囲を指定する第２の入力手段とを備える第２の情報端末装置と、
を有する情報端末システムにおいて、
前記第１の情報端末装置は、
前記第２の情報端末装置と無線で通信を行う無線通信手段を有し、
前記第２の情報端末装置は、
前記無線通信手段が発信した無線信号のレベルを測定する無線信号レベル測定手段と、
前記無線信号レベル測定手段の測定結果に基づいて前記第１の情報端末装置を特定する端末特定手段と、
を有することを特徴とする情報端末システム。
【０００９】
２．
前記第２の情報端末装置は、
前記第２の入力手段により指定された範囲のコピーデータを記憶する第２クリップバッファと、
前記第２クリップバッファに記憶された前記コピーデータを、前記端末特定手段が特定した前記第１の情報端末装置に送信する第２のデータ送信手段と、
を有し、
前記第１の情報端末装置は、
前記コピーデータを受信する第１のデータ受信手段と、
前記第１のデータ受信手段が受信した前記コピーデータを前記第１の入力手段により指定された位置にペーストする第１のペースト手段と、
を有することを特徴とする１に記載の情報端末システム。
３．
前記第１の情報端末装置は、
前記第１の入力手段により指定された範囲のコピーデータを記憶する第１クリップバッファと、
送信要求信号を受信する送信要求信号受信手段と、
前記送信要求信号受信手段が前記送信要求信号を受信すると前記第１クリップバッファに記憶された前記コピーデータを送信する第１のデータ送信手段と、
を有し、
前記第２の情報端末装置は、
前記端末特定手段が特定した前記第１の情報端末装置に前記送信要求信号を送信する送信要求信号送信手段と、
前記第１のデータ送信手段が送信した前記コピーデータを受信する第２のデータ受信手段と、
前記第２のデータ受信手段が受信した前記コピーデータを前記第２の入力手段により指定された位置にペーストする第２のペースト手段と、
を有することを特徴とする１に記載の情報端末システム。
【発明の効果】
【００１０】
本発明によれば、複数の情報端末装置間でデータのコピーまたはペーストの入力操作をする場合、データの送受信を行う通信部の発信する無線信号のレベルを測定した測定結果に基づいてデータの送受信を行う情報端末装置を設定する。したがって、構造の複雑化やコストアップを招かず、セキュリティレベルを保ったまま複数の情報端末の間で簡単な操作によりデータのコピー、ペーストができる情報端末システムを提供できる。
【発明を実施するための最良の形態】
【００１１】
以下、図面に基づき本発明の実施形態を説明する。
【００１２】
まず、本発明の第１の実施形態について、図１を用いて説明する。
【００１３】
図１は、本発明の実施形態に係る情報端末システムの全体構成の一例を示すブロック図である。
【００１４】
本発明の情報端末システムは例えば、第１の情報端末装置１と第２の情報端末装置２などから構成されている。図１は、２台の第１の情報端末装置１と１台の第２の情報端末装置２から構成される情報端末システムの例であるが、第１の情報端末装置１、第２の情報端末装置２の数は特に制約はなく１台以上であれば良い。本実施形態では必要に応じて２台の第１の情報端末装置１をａ、ｂを付けて区別する。
【００１５】
第１の情報端末装置１は、例えばＰＤＡや電子ブック、ノート型パーソナルコンピュータであり、例えばＩＥＥＥ  ８０２．１１ｂ／ｇ等で規格化されている無線ＬＡＮやＵＷＢ（Ｕｌｔｒａ  Ｗｉｄｅ  Ｂａｎｄ）などを用いて無線通信を行う図１には図示せぬ通信手段を有している。
【００１６】
第１の情報端末装置１は表示部１９を有し、画像や文字などのデータを表示する。表示部１９には例えば液晶が用いられるが、メモリ性を有する例えばカイマルネマチック液晶等を用いると消費電力を低減することができるので、長時間の表示が可能になる。
【００１７】
また、表示部１９の上層はタッチパネルから成る入力部１８になっている。ユーザは、入力部１８への入力操作により、画面上の位置または領域を指定し、画像や文字などを含む文書データの入力や描画データの入力、コピーする文書データの指定やペーストする位置の指定を行う。また、データの送受信、表示されている文書のページ送りなどの操作を行う。
【００１８】
入力部１８への入力操作はスタイラスペン３０を用いても良いし、直接指などで入力部１８を操作しても良い。表示部１９には、コピーボタン３４、ペーストボタン３５が表示され、コピーボタン３４、ペーストボタン３５にそれぞれ相当する位置の入力部１８に触れることにより入力操作を行う。表示部１９は本発明の第１の表示画面、入力部１８は、本発明の第１の入力手段である。なお、入力部１８はタッチパネルに限定されるものではなく、操作ボタンとキーにより入力操作を行う操作部３２や、図示せぬマウスやトラックボールを用いて入力操作を行っても良い。
【００１９】
第１の情報端末装置１については、後に詳しく説明する。
【００２０】
第２の情報端末装置２は、例えば電子ホワイトボードやパーソナルコンピュータであり、ＩＥＥＥ  ８０２．１１ｂ／ｇ等で規格化されている無線ＬＡＮや、ＵＷＢなどを用いて第１の情報端末装置１と無線通信を行う通信手段を有している。電子ホワイトボードは、コンピュータからの映像を大型の画面で表示させ、しかも、画面に指などで触れることによってコンピュータを操作することのできる情報端末装置である。
【００２１】
図１では、第１の情報端末装置１と第２の情報端末装置２が無線で通信を行う例を示している。
【００２２】
第２の情報端末装置２は、液晶パネルなどから成る表示部２１９を有し、画像や文字などのデータを表示する。また、表示部２１９の表面はタッチパネルから成る入力部２１８になっている。ユーザは、入力部２１８への入力操作により、画面上の位置または領域を指定し、画像や文字などを含む文書データの入力や手書きによるストロークデータの入力、コピーする文書データの指定やペーストする位置の指定を行う。また、データの送受信、表示されている文書のページ送りなどの操作を行う。
【００２３】
入力部２１８への入力操作はスタイラスペン２３０を用いても良いし、直接指などで入力部２１８を操作しても良い。表示部２１９には、コピーボタン２３４、ペーストボタン２３５が表示され、コピーボタン２３４、ペーストボタン２３５にそれぞれ相当する位置の入力部２１８をタップすることにより入力操作を行う。表示部２１９は本発明の第２の表示画面、入力部２１８は、本発明の第２の入力手段である。なお、入力部２１８はタッチパネルに限定されるものではなく、図示せぬマウスやトラックボールを用いて入力操作を行っても良い。
【００２４】
第２の情報端末装置２についても後に詳しく説明する。
【００２５】
図２は、本発明の第１の実施形態に係る第１の情報端末装置１の内部構成の一例を示すブロック図である。
【００２６】
第１の情報端末装置１は、全体を制御するＣＰＵ１１、ユーザが入力と操作を行う入力部１８、無線ＬＡＮなどで通信を行う送信部２４と受信部２５を備えた無線通信部１０などから構成されている。また、第１の情報端末装置１は、画像や文字を表示する表示部１９、および図示せぬＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）などから構成される記憶部１３を備えている。無線通信部１０は本発明の無線通信手段である。
【００２７】
記憶部１３は、例えばＯＳ（オペレーティングシステム）、制御用プログラム、文書作成アプリケーション等のプログラムを記憶しており、ＣＰＵ１１がこれらのプログラムを実行する。記憶部１３は、コピー＆ペーストをする際に入力部１８により指定された領域の文書、画像、ストロークデータなどの各種データを記憶するクリップバッファ１５を備えている。このクリップバッファ１５は、プログラムの実行により記憶部１３に設定されるものである。このようなクリップバッファは、米国マイクロソフト社のＷｉｎｄｏｗｓ（登録商標）ＸＰオペレーションシステムや同社のＯｆｆｉｃｅ（登録商標）パッケージなどで実用化されているので、その構成を採用することが可能である。
【００２８】
ＣＰＵ１１は、送信要求信号受信部５０、データ送信部５１、送信要求信号送信部５２、データ受信部５３、ペースト部５４、操作検知部５５としての機能を実現する。なお、これらの機能ブロックはＣＰＵ１１によるプログラムの実行によって実現されるものである。
【００２９】
クリップバッファ１５は本発明の第１クリップバッファ、送信要求信号受信部５０は本発明の送信要求信号受信手段、データ送信部５１は本発明の第１のデータ送信手段である。
【００３０】
送信要求信号受信部５０は、クリップバッファ１５に記憶されたコピーデータの送信を要求する送信要求信号を受信部２５を介して受信する。データ送信部５１は、クリップバッファ２１５のデータを送信部２４から送信する。送信要求信号送信部５２は、ペーストするデータの送信を要求する送信要求信号を送信部２４から送信する。
【００３１】
データ受信部５３は、受信部２５を介してデータを受信する。操作検知部５５は、入力部１８の出力する信号からユーザの各種操作を検知する。ペースト部５４は、データ受信部５３が受信したデータを操作検知部２５５の検知した入力操作に基づいて指定された個所にペーストする。このようなペースト部は、米国マイクロソフト社のＷｉｎｄｏｗｓ（登録商標）ＸＰオペレーションシステムや同社のＯｆｆｉｃｅ（登録商標）パッケージなどで実用化されているので、その構成を採用することが可能である。
【００３２】
図３は、本発明の第１の実施形態に係る第２の情報端末装置２の内部構成の一例を示すブロック図である。
【００３３】
第２の情報端末装置２は、全体を制御するＣＰＵ２１１、ユーザが入力と操作を行う入力部２１８、無線ＬＡＮなどで通信を行う送信部２２４と受信部２２５を備えた通信部２１０などから構成されている。また、第２の情報端末装置２は、画像や文字を表示する表示部２１９、および図示せぬＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）などから構成される記憶部２１３を備えている。
【００３４】
記憶部２１３は、例えばＯＳ（オペレーティングシステム）、制御用プログラム、文書作成アプリケーション等のプログラムを記憶しており、ＣＰＵ２１１がこれらのプログラムを実行する。また、記憶部２１３は、コピー＆ペーストをする際に入力部２１８により指定された領域の文書、画像などの各種データやストロークデータなどを記憶するクリップバッファ２１５を備えている。クリップバッファ２１５は第１の情報端末装置１毎に設けられており、図３の例では情報端末装置１ａ、情報端末装置１ｂに対応するクリップバッファ２１５ａ、クリップバッファ２１５ｂの２つが設けられている。このクリップバッファ２１５は、プログラムの実行により記憶部２１３に設定されるものである。
【００３５】
さらに、記憶部２１３は、第１の情報端末装置１が固有に備える識別情報とＩＰアドレスなどのデータの送信先を設定するためのデータを関連づけた端末データベース２１７を備えている。クリップバッファ２１５は本発明の第２クリップバッファである。
【００３６】
通信部２１０の送信部２２４と受信部２２５は、無線ＬＡＮやＵＷＢ（Ｕｌｔｒａ  Ｗｉｄｅ  Ｂａｎｄ）などで第１の情報端末装置１と無線通信を行う。無線信号レベル測定部２８０は、受信部２２５が受信した電波強度を測定する。無線信号レベル測定部２８０は本発明の無線信号レベル測定手段である。
【００３７】
ＣＰＵ２１１は、送信要求信号受信部２５０、データ送信部２５１、送信要求信号送信部２５２、データ受信部２５３、ペースト部２５４、操作検知部２５５、端末特定部２５６としての機能を実現する。なお、これらの機能ブロックはＣＰＵ１１によるプログラムの実行によって実現されるものである。
【００３８】
ペースト部２５４は本発明の第２のペースト手段、端末特定部２５６は本発明の端末特定手段、データ送信部２５１は本発明の第２のデータ送信手段である。
【００３９】
送信要求信号受信部２５０は、クリップバッファ２１５のデータの送信を要求する送信要求信号を受信する。データ送信部２５１は、クリップバッファ２１５のデータを送信する。送信要求信号送信部２５２は、ペーストするデータの送信を要求する送信要求信号を送信部２２４から送信する。
【００４０】
データ受信部２５３は、受信部２２５を介してペーストするデータを受信する。操作検知部２５５は、入力部２１８の出力する信号からユーザの各種操作を検知する。ペースト部２５４は、データ受信部２５３が受信したデータを操作検知部２５５の検知した入力操作に基づいて指定された個所にペーストする。
【００４１】
端末特定部２５６は、端末データベース２１７を参照し、無線信号レベル測定部２８０が測定した電波強度と受信部２２５が受信した信号から最も電波強度が高い第１の情報端末１を特定する。
【００４２】
図４は本発明の第１の実施形態において、第１の情報端末装置１の画面上の指定した領域のデータをコピーし、第２の情報端末装置２にデータを送信するコピールーチンの手順を説明するフローチャートである。
【００４３】
Ｓ１０１：コピー範囲を指定するステップである。
【００４４】
ユーザは、表示部１９に表示されている画面のコピーする範囲を、入力部１８を操作することにより指定する。コピーするデータが手書きによるストロークデータの場合は、入力部１８を操作することにより手書きする期間を指定し、その間のストロークデータをコピー範囲とする。
【００４５】
Ｓ１０２：コピーボタン３４をＯＮにする操作を待つステップである。
【００４６】
ユーザは、入力部１８を操作して表示部１９に表示されているコピーボタン３４をタップする。
【００４７】
操作検知部５５は、コピーボタン３４がタップされたことを検知した場合（ステップＳ１０２；Ｙｅｓ）、ステップＳ１０３に進む。
【００４８】
操作検知部５５は、コピーボタン３４がタップされたことを検知しない場合（ステップＳ１０２；Ｎｏ）、ステップＳ１０２に戻る。なお、タイムアウトの時間を経過した場合は、タイムアウトと判定し、表示部１９に警告を表示して終了する。
【００４９】
Ｓ１０３：ステップ１０１で指定したデータをクリップバッファ１５にコピーするステップである。
【００５０】
操作検知部５５は、ステップ１０１で指定したデータをクリップバッファ１５にコピーし、コピーデータとする。クリップバッファ１５には、選択された範囲のデータの形態に従って、文字列や画像やベクトル描画データなどの形式のデータが保存される。
【００５１】
Ｓ１０４：送信要求信号受信部５０が送信要求信号を受信するまで待機するステップである。
【００５２】
送信要求信号受信部５０が送信要求信号を受信した場合（ステップＳ１０４；Ｙｅｓ）、ステップＳ１０５に進む。
【００５３】
送信要求信号受信部５０が送信要求信号を受信しない場合（ステップＳ１０４；Ｎｏ）、ステップＳ１０４に戻る。なお、タイムアウトの時間を経過した場合は、タイムアウトと判定し、表示部１９に警告を表示して終了する。
【００５４】
Ｓ１０５：クリップバッファ１５にコピーしたデータを送信するステップである。
【００５５】
データ送信部５１は、クリップバッファ１５にコピーしたコピーデータを、送信要求信号を送信した第２の情報端末装置２に送信する。
【００５６】
以上で、第１の実施形態のコピールーチンの説明は終了である。
【００５７】
次に、本発明の第１の実施形態において第１の情報端末装置１の画面上でコピーしたデータを、第２の情報端末装置２の画面上の指定した位置にペーストする手順を説明する。
【００５８】
図５は本発明の第１の実施形態において、第１の情報端末装置１の画面上でコピーしたコピーデータを、第２の情報端末装置２の画面上の指定した位置にペーストするペーストルーチンの手順を説明するフローチャートである。
【００５９】
Ｓ２０１：ペースト位置を指定するステップである。
【００６０】
ユーザは、入力部２１８をタップするなどの操作を行って、第１の情報端末装置１でコピーしたデータをペーストする位置を指定する。
【００６１】
Ｓ２０２：ペーストボタン２３５をＯＮにする操作を待つステップである。
【００６２】
ユーザは、表示部２１９に表示されているペーストボタン２３５に相当する位置の入力部２１８をタップする。
【００６３】
操作検知部２５５は、ペーストボタン２３５がタップされたことを検知した場合（ステップＳ２０２；Ｙｅｓ）、ステップＳ６０３に進む。
【００６４】
操作検知部２５５は、ペーストボタン２３５がタップされたことを検知しない場合（ステップＳ２０２；Ｎｏ）、ステップＳ２０２に戻る。なお、タイムアウトの時間を経過した場合は、タイムアウトと判定し、表示部２１９に警告を表示して終了する。
【００６５】
Ｓ６０３：電波強度を測定するステップである。
【００６６】
無線信号レベル測定部２８０は、受信部２２５が受信している電波強度を測定する。
【００６７】
Ｓ６０４：データを送信する送信先を設定するステップである。
【００６８】
端末特定部２５６は、端末データベース２１７を参照し、無線信号レベル測定部２８０が測定した電波強度と受信部２２５が受信した信号から最も電波強度が高い第１の情報端末装置１を特定する。データ送信部２５１は、端末特定部２５６が特定した第１の情報端末装置１の情報、例えばＩＰアドレスなどを送信先の情報として設定する。
【００６９】
Ｓ２０５：送信要求信号を送信するステップである。
【００７０】
送信要求信号送信部２５２は、ステップＳ６０４で設定した送信先に送信要求信号を送信部２２４から送信する。
【００７１】
Ｓ２０６：データを受信するステップである。
【００７２】
データ受信部２５３は、送信要求信号を送信した第１の情報端末装置１からコピーデータを受信しクリップバッファ２１５に一時記憶する。
【００７３】
Ｓ２０７：受信したデータをペーストするステップである。
【００７４】
ペースト部２５４は、クリップバッファ２１５に一時記憶したコピーデータをステップＳ２０１で指定されたペースト位置にペーストする。
【００７５】
以上で、第１の実施形態のペーストルーチンの説明は終了である。
【００７６】
次に、第２の情報端末装置２の指定した範囲のデータをコピーし第１の情報端末装置１にコピーデータを送信する第２の実施形態の手順について説明する。
【００７７】
図６は第２の実施形態において、第２の情報端末装置２の指定した範囲のデータをコピーし第１の情報端末装置１にコピーデータを送信するコピールーチンの手順を説明するフローチャートである。
【００７８】
Ｓ３０１：コピー範囲を指定するステップである。
【００７９】
ユーザは、表示部２１９に表示されている画面のコピーする範囲を、入力部２１８を操作することにより指定する。コピーするデータが手書きによるストロークデータの場合は、入力部２１８を操作することにより手書きする期間を指定し、その間のストロークデータをコピー範囲とする。
【００８０】
Ｓ３０２：コピーボタン２３４をＯＮにする操作を待つステップである。
【００８１】
ユーザは、入力部２１８を操作して表示部２１９に表示されているコピーボタン２３４をタップする。
【００８２】
操作検知部２５５は、コピーボタン２３４がタップされたことを検知した場合（ステップＳ３０２；Ｙｅｓ）、ステップＳ６０３に進む。
【００８３】
操作検知部２５５は、コピーボタン２３４がタップされたことを検知しない場合（ステップＳ３０２；Ｎｏ）、ステップＳ３０２に戻る。なお、タイムアウトの時間を経過した場合は、タイムアウトと判定し、表示部２１９に警告を表示して終了する。
【００８４】
Ｓ６０３：電波強度を測定するステップである。
【００８５】
無線信号レベル測定部２８０は、受信部２２５が受信している電波強度を測定する。
【００８６】
Ｓ６０４：データを送信する送信先を設定するステップである。
【００８７】
端末特定部２５６は、端末データベース２１７を参照し、無線信号レベル測定部２８０が測定した電波強度と受信部２２５が受信した信号から最も電波強度が高い第１の情報端末装置１を特定する。データ送信部２５１は、端末特定部２５６が特定した第１の情報端末装置１の情報、例えばＩＰアドレスなどを送信先の情報として設定する。
【００８８】
Ｓ３０５：クリップバッファ２１５にステップ３０１で指定したデータをコピーするステップである。
【００８９】
ＣＰＵ２１１は、ステップＳ６０４で送信先に設定した第１の情報端末装置１に対応するクリップバッファ２１５、例えばクリップバッファ２１５ａにステップ３０１で指定したデータをコピーし、コピーデータとする。
【００９０】
Ｓ３０６：クリップバッファ２１５にコピーしたデータを送信するステップである。
【００９１】
データ送信部２５１は、クリップバッファ２１５にコピーしたコピーデータを第１の情報端末装置１に送信する。
【００９２】
第１の情報端末装置１のデータ受信の準備ができていない場合は、タイムアウト時間までの間、第１の情報端末装置１がデータ受信できるまで繰り返し送信する。
【００９３】
以上で、第２の実施形態のコピールーチンの説明は終了である。
【００９４】
図９は第２の実施形態において、第２の情報端末装置２の画面上でコピーしたコピーデータを、第１の情報端末装置１の画面上の指定した位置にペーストするペーストルーチンの手順を説明するフローチャートである。
【００９５】
Ｓ４０１：ペースト位置を指定するステップである。
【００９６】
ユーザは、入力部１８をタップするなどの操作を行って、第２の情報端末装置２でコピーしたコピーデータをペーストする位置を指定する。
【００９７】
Ｓ４０２：データを受信するステップである。
【００９８】
データ受信部５３は、第２の情報端末装置２からコピーデータを受信する。なお、Ｓ４０１とＳ４０２の順番はどちらが先であっても構わない。
【００９９】
Ｓ４０３：ペーストボタン３５をＯＮにするステップである。
【０１００】
ユーザは、表示部１９に表示されているペーストボタン３５に相当する位置の入力部１８をタップする。
【０１０１】
操作検知部５５は、ペーストボタン３５がタップされたことを検知した場合（ステップＳ４０３；Ｙｅｓ）、ステップＳ４０３に進む。
【０１０２】
操作検知部５５は、ペーストボタン３５がタップされたことを検知しない場合（ステップＳ４０３；Ｎｏ）、ステップＳ４０２に戻る。なお、タイムアウトの時間を経過した場合は、タイムアウトと判定し、表示部１９に警告を表示して終了する。
【０１０３】
Ｓ４０４：受信したコピーデータをペーストするステップである。
【０１０４】
ペースト部５４は、ステップＳ４０２で受信したコピーデータをステップＳ４０１で指定されたペースト位置にペーストする。
【０１０５】
以上で、第２の実施形態のペーストルーチンの説明は終了である。
【０１０６】
このように第１の情報端末装置１と第２の情報端末装置２は無線で通信し、通信に用いる無線信号の電波強度を測定することによりデータを送受信する第１の情報端末装置１を特定している。したがって、簡単な操作でセキュリティレベルを保ったままデータのコピー、ペーストができる。
【０１０７】
以上このように、本発明によれば、構造の複雑化やコストアップを招かず、セキュリティレベルを保ったまま複数の情報端末の間で簡単な操作によりデータのコピー、ペーストができる情報端末システムを提供することができる。
【図面の簡単な説明】
【０１０８】
【図１】本発明の実施形態に係る情報端末システムの全体構成の一例を示すブロック図である。
【図２】本発明の実施形態に係る第１の情報端末装置１の内部構成の一例を示すブロック図である。
【図３】本発明の実施形態に係る第２の情報端末装置２の内部構成の一例を示すブロック図である。
【図４】第１の実施形態において、第１の情報端末装置１の画面上の指定した領域のデータをコピーし、第２の情報端末装置２にデータを送信するコピールーチンの手順を説明するフローチャートである。
【図５】第１の実施形態において、第１の情報端末装置１の画面上でコピーしたデータを、第２の情報端末装置２の画面上の指定した位置にペーストするペーストルーチンの手順を説明するフローチャートである。
【図６】第２の実施形態において、第２の情報端末装置２の画面上の指定した領域のデータをコピーし第１の情報端末装置１にデータを送信するコピールーチンの手順を説明するフローチャートである。
【図７】第２の実施形態において、第２の情報端末装置２の画面上でコピーしたデータを、第１の情報端末装置１の画面上の指定した位置にペーストするペーストルーチンの手順を説明するフローチャートである。
【符号の説明】
【０１０９】
１  第１の情報端末装置
２  第２の情報端末装置
１０  無線通信部
１３  記憶部
１５  クリップバッファ
１８  入力部
１９  表示部
５０  送信要求信号受信部
５１  データ送信部
５２  送信要求信号送信部
５３  データ受信部
５４  ペースト部
５５  操作検知部
２１０  通信部
２１３  記憶部
２１５  クリップバッファ
２１７  端末データベース
２１８  入力部
２１９  表示部
２２２  端末情報取得部
２３５  ペーストボタン
２５０  送信要求信号受信部
２５１  データ送信部
２５２  送信要求信号送信部
２５３  データ受信部
２５４  ペースト部
２５５  操作検知部
２８０  無線信号レベル測定部
【図１】
2009230496.tif 000003
【図２】
2009230496.tif 000004
【図３】
2009230496.tif 000005
【図４】
2009230496.tif 000006
【図５】
2009230496.tif 000007
【図６】
2009230496.tif 000008
【図７】
2009230496.tif 000009